(57)【要約】【課題】飲食店にふさわしい視覚的イメージを確保できるうえ、長く使えて使い勝手が良く、しかも、薄くすることが可能なメニューブックの提供。【解決手段】裏カバー部3Bに突設した突起部20が台紙部４の固定孔4Cに挿通されるように、台紙部４を裏カバー部3Bにセットし、この状態で、表カバー部3A側に設けたホック20を突起部10に向かって押圧し突起部20と係止させれば、これにより、台紙部４をメニューブック１に容易に綴じ込むことができる。一方、突起部10からホック20を単に引っ張るだけで、ホック20から突起部10を離脱させることができるので、これにより、台紙部４をメニューブック１から容易に取り外すことができる。従って、台紙部４の追加作業や交換作業が簡単に行えるようになり、メニューブック１の使い勝手を良くすることができる。【選択図】    図２
2008207468.tif 000002
【特許請求の範囲】
【請求項１】
表側の表紙位置に配置される表カバー部と、裏側の表紙位置に配置される裏カバー部と、前記表カバー部及び前記裏カバー部の端縁同士を連結する背カバー部とを備え、前記表カバー部と前記裏カバー部との間に、袋状に形成された透明な台紙部が固定可能となっているメニューブックであって、
前記台紙部は、当該メニューブックに固定するための固定孔が、一方の側縁部分に形成されたものであり、且つ、内部にメニューに係る品目が記載された献立用紙が挿入可能となっており、
前記表カバー部及び前記裏カバー部の一方には、前記台紙部の前記固定孔に挿通されて当該台紙部を掛止する突起部が設けられ、
前記表カバー部及び前記裏カバー部の他方には、前記突起部の先端部分に形成された被係止部が内部に挿入されるとともに当該被係止部を係止する係止部が設けられ、
前記台紙部の前記固定孔に前記突起部を挿通させた状態で、前記突起部を前記係止部に向かって押圧し、前記被係止部を前記係止部に係止させることにより、前記台紙部の固定が行えるように形成され、
且つ、前記突起部を前記係止部から離れる方向に引っ張り、前記被係止部の前記係止部による係止を解除することにより、前記固定孔が前記突起部に掛止された前記台紙部が当該突起部から抜き取り可能となって、他の台紙部との交換が行えるように形成されていることを特徴とするメニューブック。
【発明の詳細な説明】
【技術分野】
【０００１】
本発明は、メニューに係る品目が記載された献立用紙を内部に綴じ込むのに利用できるメニューブックに関する。
【背景技術】
【０００２】
従来から、レストラン等の飲食店では、来店した客に料理を提供するにあたり、まず最初に、提供することができる料理の品目が記載されたメニューを客に提示し、メニューの中から、客に所望する料理を選択させて、注文を取るようになっている。
ここで、メニューそのものは、提供できる料理の品目が記載された単なる紙であり、汚れ等から保護する必要があり、このために、メニューを内部に綴じ込むためのメニューブックが利用されている。
メニューブックは、表側の表紙位置に配置される表カバー部と、裏側の表紙位置に配置される裏カバー部とを備え、表カバー部及び裏カバー部の間に、透明な塩化ビニル製のシートで形成された袋状のクリアポケットを綴じ込む構造のものである。そして、メニューは、クリアポケットの内部に収納された状態で、メニューブックに綴じ込まれるようになっている。
【０００３】
このように、メニューブックに綴じ込まれた状態でメニューを使用すれば、メニューがクリアポケットの内部に収納されているので、飲み物や料理でメニューそのものが汚れることがなく、且つ、メニューブックやクリアポケットが汚れても、その汚れを容易に取り除くことができるので、メニューを提示した際に、客に清潔な印象を与えることができるうえ、メニューそのものにも高級感を付与することができる。
このようなメニューブックとしては、次のようなものが知られている。
（１）メニューのほぼ２頁分のサイズを有するとともに、中央で二つ折りにされた表紙部材と、この表紙部材と同様に二つ折りにされるとともに、開いた状態にすると左右にそれぞれメニューを入れるポケットが形成されているクリアポケットと、綴じ込み用の紐とを備え、表紙部材及びクリアポケットを重ね合わせた状態で二つ折りにし、これらの折り曲げ部分に巻回された紐で、クリアポケットを表紙部材に綴じる構造を有する紐綴じ式のメニューブック。
（２）（１）のメニューブックと同様に、メニューのほぼ２頁分のサイズを有するとともに、中央で二つ折りにされた表紙部材と、この表紙部材と同様に二つ折りにされるとともに、開いた状態にすると左右にそれぞれメニューを入れるポケットが形成されているクリアポケットと、ヘアピン状に形成された綴じ込み用のクリップとを備え、表紙部材及びクリアポケットを重ね合わせた状態で、これらの折り曲げ部分をヘアピン状のクリップの内部に差し込み、このクリップでクリアポケットを表紙部材に綴じる構造を有するクリップ綴じ式のメニューブック（例えば、特許文献１、２参照）。
（３）メニュー１ページ分のサイズに形成されるとともに、一方の側縁部分にネジを挿通させるためのネジ孔が形成された二つの表紙部材及びクリアポケットを備え、二つの表紙部材の間にクリアポケットを配置した状態で、これら二つの表紙部材及びクリアポケットを重ね合わせ、ネジ孔に挿通させた細長い雌ネジに雄ネジを螺号させることにより、クリアポケットを表紙部材に綴じる構造を有するネジ綴じ式のメニューブック。
（４）メニューのほぼ２頁分のサイズを有するとともに、中央部分に設定された背の部分の両側にそれぞれ折り目が形成され、背の部分の両側が表紙となる表紙部材と、開閉可能に形成された複数の綴じ環を有し、表紙部材の背の部分に固定されたリング型バインダーと、メニュー１ページ分のサイズに形成され、綴じ環が挿通される挿通孔が端縁部分に設けられているクリアポケットとを備え、リング型バインダーでクリアポケットを綴じるように構成されたバインダー式のメニューブック（例えば、特許文献３、４参照）。
【特許文献１】登録実用新案３０１５２５０号公報
【特許文献２】特開２００５−１９９５８５号公報
【特許文献３】登録実用新案３１１７２４７号公報
【特許文献４】登録実用新案３１２８７９９号公報
【発明の開示】
【発明が解決しようとする課題】
【０００４】
（１）に記載した紐綴じ式のメニューブックでは、表紙部材及びクリアポケットの折り曲げ部分に巻回した紐で、表紙部材にクリアポケットを括り付けているので、折り曲げ部分の長手方向となる上下方向について、動かないようにクリアポケットを固定することはできるが、左右方向については、クリアポケットを固定することができず、メニューブックを開くと、表紙部材に対してクリアポケットがずれてしまい、ずれた状態では、メニューブックの開閉ができず、使い勝手が悪い、という問題がある。
また、多数のクリアポケットを綴じると、その重みで、クリアポケットを括り付けている紐が伸びて緩んでしまうので、表紙部材からクリアポケットが外れてしまうので、綴じることができるクリアポケットの数が少なく、メニューのページ数を充分確保できない、という問題もある。
【０００５】
さらに、使用の際に、紐が表紙部材やクリアポケットの表面に擦れ、これにより、表紙部材又はクリアポケットと紐とが接触する部分のみが部分的に摩耗するので、比較的短期間のうちに外観が劣化し、すぐに使用できなくなる、換言すると、使用できる期間としての寿命が短い、という問題もある。
（２）に記載したメニューブックでは、使用していくと、クリアポケットを表紙部材に綴じるクリップが開いたままの状態に塑性変形してしまうので、知らない間にクリップが表紙部材から外れてしまい、あるいは、悪戯によってクリップが外されたりすることもあり、これらにより、クリップが外れて紛失しやすく、クリップが紛失すると、クリアポケットを表紙部材に固定できなくなり、メニューブックとしての機能を発揮できなくなり、このクリップの紛失しやすさによって、すぐに使用できなくなる場合が多く、従って、メニューブックとして使用できる期間である寿命が短い、という問題がある。
【０００６】
さらに、クリップの間には、比較的厚手の表紙部材が挟まっており、その間にさらにクリアポケットを挟み込むこととなるので、綴じることができるクリアポケットの枚数は、３〜４枚（ページ数で言うと１２〜１６頁分）程度と少なく、メニューのページ数を充分確保できない、という問題もある。
（３）に記載したメニューブックでは、クリアポケットを綴じるのに複数のネジを利用しているので、クリアポケットの追加作業や交換作業を行う度に、複数設けられているネジのすべてについて、ネジを緩める作業及びネジを締める作業を行う必要があるので、クリアポケットの追加・交換作業が面倒であり、この点から、使い勝手が悪い、という問題がある。
【０００７】
また、ネジの頭が表紙部材の表面に露出してしまうので、表紙部材の表面に洗練された模様が印刷されたシートを貼っても、無骨な印象の外観となり、飲食店にふさわしい視覚的イメージを充分確保することができない、という問題もある。
（４）に記載したメニューブックでは、リング型バインダーを設けると、メニューブックの厚さ寸法が著しく大きくなる、という問題があり、この問題より、数頁のメニューで使用するは重厚すぎるうえ、客待ちの空きテーブルの上に、複数のメニューブックを重ねて置くことができなくなる、という問題が生じる。
また、リング型バインダーは、事務用品としての無機質なイメージが強く、しかも、メニューブックを開くと、視界の中央に位置するので、メニューを見る者に、無味乾燥な視覚的イメージを与えやすく、飲食店にふさわしい視覚的イメージを確保することが難しい、という問題もある。
【０００８】
さらに、リング型バインダーは、サイズが規格化されているので、飲食店のメニューブックをデザインする際に、デザインの自由度を限定する、という問題もある。なお、このデザインの自由度についての問題を解決するために、規格外の特注品を採用すると、製作コストが著しく高騰する、という問題が生じる。
そこで、各請求項にそれぞれ記載された各発明は、上記した従来の技術の有する問題点に鑑みてなされたものであり、その目的とするところは、飲食店にふさわしい視覚的イメージを確保できるうえ、長く使えて使い勝手が良く、しかも、薄くすることが可能なメニューブックを提供することである。
【課題を解決するための手段】
【０００９】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、表側の表紙位置に配置される表カバー部(3A)と、裏側の表紙位置に配置される裏カバー部(3B)と、前記表カバー部(3A)及び前記裏カバー部(3B)の端縁同士を連結する背カバー部(3C)とを備え、前記表カバー部(3A)と前記裏カバー部(3B)との間に、袋状に形成された透明な台紙部(４)が固定可能となっているメニューブック(１)であって、前記台紙部(４)は、当該メニューブック(１)に固定するための固定孔(4C)が、一方の側縁部分に形成されたものであり、且つ、内部にメニューに係る品目が記載された献立用紙(２)が挿入可能となっており、前記表カバー部(3A)及び前記裏カバー部(3B)の一方には、前記台紙部(４)の前記固定孔(4C)に挿通されて当該台紙部(４)を掛止する突起部(10)が設けられ、前記表カバー部(3A)及び前記裏カバー部(3B)の他方には、前記突起部(10)の先端部分に形成された被係止部(11)が内部に挿入されるとともに当該被係止部(11)を係止する係止部(20)が設けられ、前記台紙部(４)の前記固定孔(4C)に前記突起部(10)を挿通させた状態で、前記突起部(10)を前記係止部(20)に向かって押圧し、前記被係止部(11)を前記係止部(20)に係止させることにより、前記台紙部(４)の固定が行えるように形成され、且つ、前記突起部(10)を前記係止部(20)から離れる方向に引っ張り、前記被係止部(11)の前記係止部(20)による係止を解除することにより、前記固定孔(4C)が前記突起部(10)に掛止された前記台紙部(４)が当該突起部(10)から抜き取り可能となって、他の台紙部(４)との交換が行えるように形成されていることを特徴とするものである。
【発明の効果】
【００１０】
（請求項１の効果）
以上のように構成されている本発明は、以下に記載されるような効果を奏する。
すなわち、請求項１記載の発明によれば、表カバー部及び裏カバー部の一方に、台紙部の固定孔に挿通されて、当該台紙部を掛止する突起部を設け、表カバー部及び裏カバー部の他方に、突起部の先端に設けた被係止部が内部に挿入されるとともに当該被係止部を係止する係止部を設け、突起部を係止部に向かって押圧すると、被係止部を係止部に容易に係止できる一方、突起部を係止部から離れる方向に引っ張ると、被係止部の係止部による係止を容易に解除できるようにしたので、台紙部の交換・追加を行うにあたり、係止部に被係止部が係止された突起部を単に引っ張るだけで、係止部から被係止部を容易に離脱させることができ、これにより、突起部から古い台紙部を外す作業、及び、新たな台紙部を突起部に掛止させる作業が簡単に行える。しかも、新たな台紙部を突起部に掛止させた後、突起部を係止部に向かって押しつければ、被係止部を係止部に再係止させることも難なく行え、台紙部の綴じ込み作業も容易に行える。
【００１１】
従って、台紙部の追加作業や交換作業が簡単に行えるようになり、メニューブックの使い勝手を良くすることができる。
そのうえ、メニューブックに台紙部を綴じた状態において、表カバー部、裏カバー部、背カバー部及び台紙部等が、突起部及び係止部を隠蔽するように形成することもでき、このようにすれば、突起部及び係止部が外側に殆ど露出せず、突起部及び係止部を金属製のものにしても、メニューを見る者に、突起部及び係止部を視認させず、表カバー部、裏カバー部及び背カバー部を適当に装飾することで、部飲食店にふさわしい視覚的イメージを確保するができる。
【００１２】
また、メニューブックに綴じるべき台紙部の枚数に応じた突出長の突起部を設ければよいので、メニューブックは、必要以上に厚くなることがなく、綴じるべき台紙部に対応した必要最低限の厚さ寸法まで薄くすることができる。
さらに、メニューブックに台紙部を綴じるにあたり、台紙部の固定孔に突起部を挿通させ、突起部に台紙部を掛止させることで、台紙部をメニューブックに綴じるようにしたので、台紙部がメニューブックにしっかりと固定され、台紙部がずれることもない。このため、使用の際に、台紙部が動いて、台紙部の固定孔の周囲が突起部に擦れる等による部分的な摩耗が未然に防止され、短期間のうちに外観が劣化することがなくなり、長期にわたり使用することができる。
【発明を実施するための最良の形態】
【００１３】
以下に、本発明を実施するための最良の形態である一実施形態について、図面に基づいて説明する。
図１〜図７は、本発明の一実施形態を示すものである。図１は、本実施形態に係るメニューブックを示す斜視図、図２は、本実施形態に係るメニューブックの異なる状態を示す斜視図、図３は、本実施形態の要部を示す拡大断面図、図４は、本実施形態に係る台紙部を示す斜視図、図５は、本実施形態に係る係止部であるホックを示す拡大断面図、図６は、本実施形態に係る突起部を示す拡大断面図、図７は、本実施形態に係る止め輪を示す拡大平面図である。
（実施形態の構成）
図１及び図２において、本実施形態に係るメニューブック１は、メニューに係る品目が記載された複数の献立用紙２（図２参照）を内部に綴じ込むことができるように形成されたものである。
【００１４】
すなわち、メニューブック１は、図１及び図２の如く、当該メニューブック１の外装部分となるように、開閉可能に略二つ折りにされた表紙部材３と、前述の献立用紙２を内部に収納するために、袋状に形成された台紙部４とを備え、献立用紙２を収納した台紙部４を表紙部材３の内部に綴じ込んで使用されるものとなっている。
換言すると、メニューブック１の表紙部材３には、表側の表紙位置に配置される表カバー部3Aと、裏側の表紙位置に配置される裏カバー部3Bと、表カバー部3A及び裏カバー部3Bの端縁同士を連結する背カバー部3Cとが設けられている。そして、メニューブック１は、表カバー部3Aと裏カバー部3Bとの間に、複数の台紙部４が配置され、これらの台紙部４の片側の側縁が当該メニューブック１に固定されるようになっている。
【００１５】
表紙部材３は、厚紙の両面を塩化ビニル製の装飾シートで覆ったものである。この表紙部材３には、図１中、台紙部４の左側に配置されている表側の表紙となる表カバー部3Aと、図１中、台紙部４の右側に配置されている裏側の表紙となる裏カバー部3Bと、表カバー部3A及び裏カバー部3Bの端縁同士を連結する背カバー部3Cとを備えている。
また、表紙部材３の略二つに折り曲げられる部分には、図３に示すように、肉厚の薄いヒンジ部31が４箇所設けられている。これらのヒンジ部31は、表紙部材３の図１中上下方向の全長に渡って延びるものとなっている。
ここで、背カバー部3Cの図３中左側に設けられているヒンジ部31A は、背カバー部3C及び表カバー部3Aを互いに回動可能に連結するものとなっている。
【００１６】
背カバー部3Cの図３中右側に設けられているヒンジ部31B は、背カバー部3C及び裏カバー部3Bを互いに回動可能に連結するものとなっている。
ヒンジ部31A の図３中さらに左側に設けられているヒンジ部31C は、表カバー部3Aを、メニューを見る際にめくられる部分である扉部32と、台紙部４を綴じ込むための綴じ込み部33とに仕切るとともに、扉部32及び綴じ込み部33を互いに回動可能に連結するものとなっている。
ヒンジ部31B の図３中さらに右側に設けられているヒンジ部31D は、メニューの裏側において、めくることが可能となった部分である扉部34と、台紙部４を綴じ込むための綴じ込み部35とに仕切るとともに、扉部34及び綴じ込み部35を互いに回動可能に連結するものとなっている。
【００１７】
綴じ込み部33, 35の各々は、表紙部材３の図１中上下方向の全長に渡って延びる帯状の部位である。そして、表カバー部3A及び裏カバー部3Bの一方である裏カバー部3Bに、綴じ込み部35が設けられている。この綴じ込み部35には、図２及び図３に示すように、台紙部４を固定するために、複数の突起部10が立設されている。これらの突起部10は、所定の間隔を開けて綴じ込み部35の長手方向に沿って配列されている。
表カバー部3A及び裏カバー部3Bの他方である表カバー部3Aに、綴じ込み部33が設けられている。この綴じ込み部33には、図２及び図３に示すように、表カバー部3A側に設けられた突起部10に対応して、複数のホック20が所定の間隔を開けて綴じ込み部33の長手方向に沿って配列されている。これらのホック20は、表カバー部3A側の突起部10の先端部分に形成された被係止部11（図３参照）が内部に挿入されるとともに、当該被係止部11を係止する係止部となっている。
【００１８】
綴じ込み部33, 35は、その間に台紙部４の一方の側縁部分を綴じ込むために、ホック20に突起部10の被係止部11を係止させると相互に連結され、背カバー部3Cとともに断面コ字形の溝形を形成するようになっている。
そして、扉部32, 35は、綴じ込み部33, 35との間に形成されたヒンジ部31C, 31Dにより、綴じ込み部33, 35に対して回動可能に連結されている。これにより、扉部32, 35は、綴じ込み部33, 35が連結された状態でも回動可能となっている。
台紙部４は、図２及び図４に示すように、献立用紙２を収納する袋として形成された収納部4Aと、この収納部4Aの一方の側縁部分に沿って細長く形成された綴じ代部4Bとを有するものである。このうち、綴じ代部4Bには、図４の如く、メニューブック１に固定するために、複数の固定孔4Cが設けられている。これらの固定孔4Cは、表カバー部3A側に設けられた複数の突起部10に対応して、所定の間隔を開けて綴じ代部4Bの長手方向に沿って配列されている。
【００１９】
台紙部４は、図２の如く、裏カバー部3Bの綴じ込み部35に立設された突起部10を、その固定孔4Cに挿通させて、台紙部４自体を突起部10に掛止させ、この状態で、図３中二点鎖線で示すように、表カバー部3Aを折り曲げて、突起部10の先端部分に形成された被係止部11を、表カバー部3Aの綴じ込み部33に設けられているホック20に係止させることにより、綴じ込み部33, 35の内部に綴じ込まれるようになっている。
ホック20は、図５に示すように、突起部10の被係止部11を係止させる構造を有する本体部21と、この本体部21を表紙部材３、具体的には、綴じ込み部33に固定するためのボタン部22とを備えたものである。
【００２０】
本体部21は、突起部10の先端部分を内部に挿通させることができる筒部23と、この筒部23の突起部10側に配置された端部から径方向に突出する鍔部24とを備えている。
筒部23は、鍔部24近傍の部分に、互いに対向するように形成された一対の長孔25を備えたものとなっている。この筒部23には、当該筒部23を両側から挟み込むように、Ｕ字形に折り曲げられたピアノ線等からなる係止部材26が取り付けられている。
すなわち、係止部材26は、突起部10の被係止部11を係止するＵ字形の部材である。そして、Ｕ字形に形成された係止部材26の両端部26A は、自らの弾性力により、互いに近づく方向に付勢された状態で、筒部23に形成された一対の長孔25のそれぞれに嵌め込まれ、これにより、係止部材26が筒部23に取り付けられている。
【００２１】
鍔部24は、綴じ込み部33に形成された孔35A に挿通された筒部23が反対側へ抜け出ないように、筒部23の抜け止めを行うものである。この鍔部24の外周縁には、筒部23と同じ方向に延びる筒状の側壁部24A が設けられている。この側壁部24A は、その内部に係止部材26を収納するものとなっている。これにより、係止部材26は、外部から見えないように隠蔽され、且つ、筒部23から脱落しないようになっている。
また、筒部23の鍔部24とは反対側の端部には、ボタン部22を係止させるために、筒部23の内側へ向かって突出する係止鍔部27が設けられている。
ボタン部22は、本体部21の筒部23の内部に挿通される固定筒部28と、この固定筒部28の突起部10とは反対側の端部に設けられるとともに、固定筒部28の径方向に広がる皿状の装飾蓋部29とを備えたものとなっている。
【００２２】
このうち、装飾蓋部29は、綴じ込み部33に形成された孔35A に挿通された固定筒部28が反対側へ抜け出ないように、固定筒部28の抜け止めを行うものである。
一方、固定筒部28は、ボタン部22と本体部21とを連結するものである。すなわち、固定筒部28は、突起部10側の先端部分が本体部21の筒部23の内部に挿入された状態で、かしめられることにより形成されたカシメ部28A を備えたものである。そして、固定筒部28は、そのカシメ部28A が本体部21側の係止鍔部27に係止され、これにより、ボタン部22と本体部21との連結を行うものとなっている。
ここで、ボタン部22の装飾蓋部29と本体部21の鍔部24との間に綴じ込み部33が挟み込まれるので、ボタン部22と本体部21との連結により、ホック20が綴じ込み部33に固定されるようになっている。
【００２３】
また、装飾蓋部29の外周縁には、固定筒部28と同じ方向に延びる筒状の側壁部29A が設けられている。この側壁部29A は、その内部に、本体部21側の係止鍔部27を収納するものである。このような側壁部29A を有する装飾蓋部29により、ボタン部22と本体部21との連結部分が隠蔽され、メニューブック１は、ホック20が取り付けられても、その外観が損なわれなうようになっている。
ここで、突起部10としては、綴じ込み部35から突出している寸法である突出長が、メニューブック１に綴じるべき台紙部４の枚数に応じた寸法となっているものが採用されている。このような突起部10は、図６に示すように、ホック20への係止が容易に行える構造を有する棒状の本体棒状部12と、この本体棒状部12を表紙部材３、具体的には、綴じ込み部35に固定するための固定鍔部13とが一体化されたものである。
【００２４】
すなわち、本体棒状部12は、固定鍔部13側の端部から同一の直径を維持しながら延びる円柱部14と、固定鍔部13側とは反対側の端部に先細りとなるように形成された頭部15と、ホック20側に設けられた係止部材26に係止される被係止部11とを備えたものである。そして、本体棒状部12は、円柱部14及び頭部15の境界部分に被係止部11が形成されたものとなっている。
このうち、被係止部11は、円柱部14及び頭部15の境界部分に沿って本体棒状部12を一周する溝状の部位である。ホック20側に設けられたピアノ線等からなる係止部材26は、被係止部11に嵌り込むようになっている。
【００２５】
また、頭部15は、先端側が次第に細くなるように、半球形状又は円錐形状に形成されたものである（図６では半球形で図示）。この頭部15の先細り形状により、突起部10は、ホック20側の筒部23への挿入の際に、筒部23の内側面から内側へ突き出た係止部材26に接触しても、頭部15が係止部材26をスムーズに外側へ押し退けるので、筒部23内への挿入が容易に行えるようになっている。
固定鍔部13は、本体棒状部12の頭部15とは反対側となる端部において本体棒状部12の径方向に広がる円盤状の部位である。そして、固定鍔部13は、綴じ込み部35に形成された孔35A に挿通された本体棒状部12が反対側へ抜け出ないように、本体棒状部12の抜け止めを行うものである。
【００２６】
以上のような突起部10は、略リング状に形成された止め輪16と固定鍔部13とにより、綴じ込み部35に固定されるようになっている。
すなわち、止め輪16は、図６及び図７に示すように、円環状に形成された環状部16A と、この環状部16A の内周縁から中心に向かって突出した複数の弾性片16B とを備えたものとなっている。
このような止め輪16は、突起部10の本体棒状部12を内部に挿通させると、弾性片16B が弾性変形して、本体棒状部12の挿通方向へ湾曲するように形成されている。
これにより、止め輪16は、本体棒状部12が内部に挿通された状態で、本体棒状部12に対して弾性片16B の湾曲方向とは反対の方向へ押されると、弾性片16B の弾性変形が可能なので、当該方向へ移動可能となっている。
【００２７】
一方、止め輪16は、本体棒状部12が内部に挿通された状態で、本体棒状部12に対して弾性片16B の湾曲方向へ押されると、弾性片16B の弾性変形が不可能なので、弾性片16B が同方向への進行を阻止する閊え棒的に作用し、当該方向への移動が不可能となっている。
突起部10は、綴じ込み部35に形成された孔33A に本体棒状部12を挿通させ、この状態で、本体棒状部12に止め輪16を嵌め、さらに、止め輪16を固定鍔部13へ向かって押し込み、止め輪16と固定鍔部13とで綴じ込み部35を挟み込むことにより、当該綴じ込み部35に固定されるようになっている。
以上において、メニューブック１に台紙部４を綴じた状態においては、図３の如く、突起部10の固定鍔部13、及び、ホック20のボタン部22のみがメニューブック１の表面に露出し、突起部10の13及びホック20の残りの部分は、表カバー部3A、裏カバー部3B、背カバー部3C及び台紙部４により隠蔽されるようになっている。
【００２８】
このような本実施形態では、図２の如く、台紙部４の固定孔4Cに突起部10を挿通させ、この状態で、図３の如く、綴じ込み部35を矢印Ａの方向へ回動させ、ホック20を突起部10の上方に配置した後、ホック20を下降させ、これにより、突起部10をホック20に向かって相対的に押圧して、突起部10の被係止部11をホック20の係止部材26に係止させ、以上により、台紙部４のメニューブック１への固定、換言すると、綴じ込みを行う。
また、突起部10の被係止部11がホック20の係止部材26に係止された状態において、図３中、綴じ込み部35を矢印Ａとは逆方向へ回動させ、換言すると、突起部10をホック20から離れる方向に引っ張り、ホック20の係止部材26による被係止部11の係止を解除し、ホック20から被係止部11を離脱させる。
【００２９】
これにより、突起部10に固定孔4Cが掛止された台紙部４が当該突起部10から抜き取り可能となって、他の台紙部４との交換が行えるようになる。
（実施形態の効果）
前述のような本実施形態によれば、次のような効果が得られる。
すなわち、裏カバー部3Bに台紙部４の固定孔4Cに挿通されて、当該台紙部４を掛止する突起部10を設け、表カバー部3Aに突起部10の先端に設けた被係止部11が内部に挿入されるとともに当該被係止部11を係止するホック20を設け、突起部10をホック20に向かって相対的に押圧すると、被係止部11をホック20に容易に係止できる一方、突起部10をホック20から離れる方向に引っ張ると、被係止部11のホック20による係止を容易に解除できるようにしたので、台紙部４の交換・追加を行うにあたり、ホック20に被係止部11が係止された突起部10を単に引っ張るだけで、ホック20から被係止部11を容易に離脱させることができ、これにより、突起部10から古い台紙部４を外す作業、及び、新たな台紙部４を突起部10に掛止させる作業が簡単に行える。しかも、新たな台紙部４を突起部10に掛止させた後、突起部10をホック20に向かって相対的に押しつければ、被係止部11をホック20に再係止させることも難なく行える。
【００３０】
従って、台紙部４の追加作業や交換作業が簡単に行えるようになり、メニューブック１の使い勝手を良くすることができる。
また、メニューブック１に台紙部４を綴じた状態においては、突起部10の固定鍔部13及びホック20のボタン部22のみがメニューブック１の表面に露出し、突起部10及びホック20の残りの部分は、表カバー部3A、裏カバー部3B、背カバー部3C及び台紙部４により隠蔽されるようになっている。このため、突起部10及びホック20が外側に殆ど露出せず、突起部10及びホック20を金属製のものにしても、メニューを見る者に、突起部10及びホック20を殆ど意識させず、表カバー部3A、裏カバー部3B及び背カバー部3Cを適当に装飾することで、部飲食店にふさわしい視覚的イメージを確保するができる。
【００３１】
さらに、突起部10として、綴じ込み部35から突出している寸法である突出長が、メニューブック１に綴じるべき台紙部４の枚数に応じた寸法となっているものを採用したので、メニューブック１は、必要以上に厚くなることがなく、綴じるべき台紙部４に対応した必要最低限の厚さ寸法まで薄くすることができる。
また、メニューブック１に台紙部４を綴じるにあたり、台紙部４の固定孔4Cに突起部10を挿通させ、突起部10に台紙部４を掛止させることで、台紙部４をメニューブック１に綴じるようにしたので、台紙部４がメニューブック１にしっかりと固定され、台紙部４がずれることもない。このため、使用の際に、台紙部４が動いて、台紙部４の固定孔4Cの周囲が突起部10に擦れる等による部分的な摩耗が未然に防止され、短期間のうちに外観が劣化することがなくなり、長期にわたり使用することができ、その寿命を充分確保することができる。
（変形例）
なお、本発明は、前記実施形態に限定されるものではなく、本発明の目的を達成できる範囲における変形及び改良などをも含むものである。
【００３２】
すなわち、前記実施形態では、台紙部４を固定するために、突起部10及びホック20を、直接、表紙部材３に設け、これらの突起部10及びホック20が設けられている部位を綴じ込み部33, 35としたメニューブック１を採用したが、換言すると、綴じ込み部33, 35を表紙部材３に一体的に形成したメニューブック１を採用したが、これに限らず、綴じ込み部を表紙部材とは別の部材として形成した後、綴じ込み部を表紙部材に接着したメニューブックを採用してもよい。
例えば、表紙部材３とは別の部材として、細長い帯状部材(36)を、図８に示すように、断面「コ」字形状となるように縦に折り曲げて、これにより、「コ」字の背となる背部36A と、その両側に回動可能に形成された綴じ込み部33B, 35Bとを有する綴じ込み部材36を作製しておき、このような綴じ込み部材36を、略二つ折りにされた表紙部材３の折り曲げ部分の内側に接着し、このようにして作製されたメニューブック1Aを採用してもよい。
【００３３】
このようなメニューブック1Aを採用すれば、メニューブック1Aに台紙部４を綴じた状態において、表カバー部3A、裏カバー部3B、背カバー部3C及び台紙部４等が、突起部10及び係止部としてのホック20を隠蔽するので、突起部10及びホック20が外側に露出せず、突起部10及びホック20を金属製のものにしても、メニューを見る者に、突起部10及びホック20を視認させず、表カバー部3A、裏カバー部3B及び背カバー部3Cを適当に装飾することで、部飲食店にふさわしい視覚的イメージを確保するができる。
また、メニューブックとしては、前記実施形態のように横寸法よりも縦寸法の方が長い縦長の長方形状に形成されたメニューブック１に限らず、図９に示すように、縦寸法よりも横寸法の方が長い横長の長方形状に形成されたメニューブック1Bでもよい。
【００３４】
さらに、メニューブックとしては、長方形状に形成されたメニューブック１,1A,1Bに限らず、図１０に示すように、ハート型のメニューブック1C等、長方形以外の形状に形成されたメニューブックでもよい。
また、表カバー部及び裏カバー部としては、前記実施形態における台紙部４全体を覆うことができる大きさに形成された表カバー部3A及び裏カバー部3Bに限らず、図１１に示すように、扉部32が省略されて、綴じ込み部33のみとなった表カバー部3D、扉部34が省略されて、綴じ込み部35のみとなった裏カバー部3Eでもよい。
このような表カバー部3D及び裏カバー部3Eを採用する場合、裏カバー部3Eの表面に、シート状に形成されたシートマグネット17を貼り付けることが望ましい。
【００３５】
このように、シートマグネット17を貼り付けた裏カバー部3Eを採用すれば、メニューブック１を通常のメニューブックとして使用できるほか、比較的大きな文字で品目が記載された献立用紙２を台紙部４の内部に入れ、この状態で台紙部４をメニューブック１に綴じ込み、磁石が吸着可能な壁にメニューブック１を取り付けることができ、これにより、メニューを壁に掛けることができる。換言すれば、メニューを壁に掛けるためのメニューハンガーをメニューブック１で兼用することができる、というメリットが得られる。
【図面の簡単な説明】
【００３６】
【図１】本発明の実施形態に係るメニューブックを示す斜視図である。
【図２】前記実施形態に係るメニューブックの異なる状態を示す斜視図である。
【図３】前記実施形態の要部を示す拡大断面図である。
【図４】前記実施形態に係る台紙部を示す斜視図である。
【図５】前記実施形態に係る係止部であるホックを示す拡大断面図である。
【図６】前記実施形態に係る突起部を示す拡大断面図である。
【図７】前記実施形態に係る止め輪を示す拡大平面図である。
【図８】本発明の綴じ込み部に係る変形例を示す斜視図である。
【図９】本発明のメニューブックの形状に係る変形例を示す斜視図である。
【図１０】本発明のメニューブックの形状に係る別の変形例を示す斜視図である。
【図１１】本発明の表カバー部及び裏カバー部に係る変形例を示す斜視図である。
【符号の説明】
【００３７】
１,1A,1B,1C   メニューブック
２            献立用紙
3A            表カバー部
3B            裏カバー部
3C            背カバー部
４            台紙部
4C            固定孔
10            突起部
11            被係止部
20            係止部としてのホック
【図１】
2008207468.tif 000003
【図２】
2008207468.tif 000004
【図３】
2008207468.tif 000005
【図４】
2008207468.tif 000006
【図５】
2008207468.tif 000007
【図６】
2008207468.tif 000008
【図７】
2008207468.tif 000009
【図８】
2008207468.tif 000010
【図９】
2008207468.tif 000011
【図１０】
2008207468.tif 000012
【図１１】
2008207468.tif 000013